(57)【要約】伝送元１０から伝送先２０Ａ、２０Ｂへと伝送された映像音声信号を、所定時間だけ繰り返し記憶するので、例えば所定のタイミングで映像音声信号を上書きするようにすれば、映像音声信号の記憶容量が少なくて済む。またエラーが生じたと判定された時点では、エラーの生じた映像音声信号は、上書き等されることなく残存しているので、これを所定の宛先に送信することによって、送信された映像音声信号に基づいて、エラーの解析を迅速且つ詳細に行うことができる。
2007080657.tif 000002
【特許請求の範囲】
【請求項１】
伝送元から伝送先へと伝送される映像音声信号を監視する監視システムにおいて、
伝送元から伝送先へと伝送された映像音声信号を、所定時間だけ繰り返し記憶するステップと、
伝送される前の映像音声信号から抽出される第１の特徴量と、伝送された後の映像音声信号から抽出される第２の特徴量とをリアルタイムで比較するステップと、
前記第１の特徴量と前記第２の特徴量との間に所定値以上の差がある場合、エラーが生じたと判定するステップと、
エラーが生じたと判定されたときは、記憶された映像音声信号を所定の宛先に送信するステップとを有することを特徴とする監視システム。
【請求項２】
比較のために用いられる前記第２の特徴量と、前記記憶された映像音声信号は、インターネットを介して伝送先から伝送元に送信されることを特徴とする請求項１に記載の監視システム。
【請求項３】
前記記憶された映像音声信号は、エラーを解析するために用いられることを特徴とする請求項１又は２に記載の監視システム。
【請求項４】
前記エラーは、画像フリーズ現象であることを特徴とする請求項１〜３のいずれかに記載の監視システム。
【請求項５】
前記エラーは、ブラックアウト現象であることを特徴とする請求項１〜４のいずれかに記載の監視システム。
【請求項６】
前記エラーは、音声ミュート現象であることを特徴とする請求項１〜５のいずれかに記載の監視システム。
【請求項７】
前記エラーは、音声不良現象であることを特徴とする請求項１〜６のいずれかに記載の監視システム。
【請求項８】
前記エラーは、映像音声不整合現象であることを特徴とする請求項１〜７のいずれかに記載の監視システム。
【請求項９】
前記エラーは、不正フレーム現象であることを特徴とする請求項１〜８のいずれかに記載の監視システム。
【請求項１０】
前記第１の特徴量と前記第２の特徴量との間に、所定値以上の差がある場合、伝送先に伝送された映像音声信号を補正することを特徴とする請求項１〜９のいずれかに記載の監視システム。
【発明の詳細な説明】
【技術分野】
【０００１】
本発明は、監視装置に関し、特にデジタル・ビデオ／オーディオ信号の監視に適した監視装置に関する。
【背景技術】
【０００２】
近年の映像処理技術の向上により、ハイビジョンテレビ放送など高画質な映像が放映されるようになってきている。ここで、ハイビジョン放送などにかかるデジタル映像信号は、衛星放送やケーブルＴＶのネットワークを介して各家庭に伝送されることが多い。しかるに、映像信号が伝送される間に、種々の原因によりエラーが生じることがある。エラーが生じると、映像のフリーズ、ブラックアウト、ノイズ、音声ミュートなどの不具合を招く恐れあり、その対策が必要となっている。
これに対し本出願人は、特開２００３−２０４５６２において、例えば中央処理端末が、伝送元から出力された映像信号（第１の信号）に基づく第１の統計値と、中継局又は伝送先から出力された映像信号（第２の信号）に基づく第２の統計値との差をとり、その差が、閾値を下回っていれば正常と判断し、閾値を上回っていれば、伝送元１０と中継局２０との間で伝送異常が生じたと判断して、警報信号を出力し警報（警報表示や警報音）を発する信号監視システムを開示する。
しかるに、かかる信号監視システムの場合には、中央端末が、第１の統計値と第２の統計値との差をとって、その差に基づいて自動的に伝送異常を判別するのみであるため、それだけでは、いかなるエラーが生じたか十分な解析を行えないという問題がある。エラーの解析を十分に行えないと、また同様なトラブルを招く恐れがある。ここで、エラーを解析するためには、送信された映像信号を全て記憶した上で、後から時間をかけて再生しながらチェックする必要があるが、そのためには映像音声信号を記憶する膨大な記憶容量と、膨大なチェック時間が必要とされる。
【発明の開示】
【０００３】
本発明は、かかる従来技術の問題点に鑑みてなされたものであり、エラーが生じた場合に、エラー内容を解析できる監視システムを提供することを目的とする。
本発明の監視システムは、伝送元から伝送先へと伝送される映像音声信号を監視する監視システムにおいて、
伝送元から伝送先へと伝送された映像音声信号を、所定時間だけ繰り返し記憶するステップと、
伝送される前の映像音声信号から抽出される第１の特徴量と、伝送された後の映像音声信号から抽出される第２の特徴量とをリアルタイムで比較するステップと、
前記第１の特徴量と前記第２の特徴量との間に所定値以上の差がある場合、エラーが生じたと判定するステップと、
エラーが生じたと判定されたときは、記憶された映像音声信号を所定の宛先に送信するステップとを有することを特徴とする。
本発明の監視システムによれば、伝送元から伝送先へと伝送された映像音声信号を、所定時間だけ繰り返し記憶するので、例えば所定のタイミングで映像音声信号を上書きするようにすれば、映像音声信号の記憶容量が少なくて済む。またエラーが生じたと判定された時点では、エラーの生じた映像音声信号は、上書き等されることなく残存しているので、これを所定の宛先に送信することによって、送信された映像音声信号に基づいて、エラーの解析を迅速且つ詳細に行うことができる。なお、「映像音声信号」とは、一般的には映像信号（ビデオ信号）と音声信号（オーディオ信号）の双方を含むものをいうが、本明細書中では少なくとも一方を含む信号であれば足り、生データ、圧縮データのいずれも問わない。
比較のために用いられる前記第２の特徴量と、前記記憶された映像音声信号は、インターネットを介して伝送先から伝送元に送信されると好ましい。
前記記憶された映像音声信号は、エラーを解析するために用いられると好ましい。
前記エラーは、画像フリーズ現象であると好ましい。
前記エラーは、ブラックアウト現象であると好ましい。
前記エラーは、音声ミュート現象であると好ましい。
前記エラーは、音声不良現象であると好ましい。
前記エラーは、映像音声不整合現象であると好ましい。
前記エラーは、不正フレーム現象であると好ましい。
前記第１の特徴量と前記第２の特徴量との間に、所定値以上の差がある場合、伝送先に伝送された映像音声信号を補正すると好ましい。
【図面の簡単な説明】
【０００４】
図１は、本実施の形態にかかる監視システムを含む伝送システム全体の概念図である。
図２は、抽出装置１００Ｘ，１００Ａ、１００Ｂの構成を示すブロック図である。
図３Ａは、抽出装置１００Ｘで抽出された特徴量を示す図である。図３Ｃは、抽出装置１００Ａ又は１００Ｂで抽出された特徴量を示す図である。図３Ｂは、２つの特徴量の差分をとった値を示す図である。
図４Ａは、抽出装置１００Ｘで抽出された特徴量を示す図である。図４Ｃは、抽出装置１００Ａ又は１００Ｂで抽出された特徴量を示す図である。図４Ｂは、２つの特徴量の差分をとった値を示す図である。
図５Ａは、抽出装置１００Ｘで抽出された特徴量を示す図である。図５Ｃは、抽出装置１００Ａ又は１００Ｂで抽出された特徴量を示す図である。図５Ｂは、２つの特徴量の差分をとった値を示す図である。
図６Ａは、抽出装置１００Ｘで抽出された特徴量を示す図である。図６Ｃは、抽出装置１００Ａ又は１００Ｂで抽出された特徴量を示す図である。図６Ｂは、２つの特徴量の差分をとった値を示す図である。
図７Ａは、抽出装置１００Ｘで抽出された特徴量を示す図である。図７Ｃは、抽出装置１００Ａ又は１００Ｂで抽出された特徴量を示す図である。図７Ｂは、２つの特徴量の差分をとった値を示す図である。
図８Ａは、抽出装置１００Ｘで抽出された特徴量を示す図である。図８Ｃは、抽出装置１００Ａ又は１００Ｂで抽出された特徴量を示す図である。図８Ｂは、２つの特徴量の差分をとった値を示す図である。
【発明を実施するための最良の形態】
【０００５】
以下、実施の形態を参照して本発明を説明する。図１は、本実施の形態にかかる監視システムを含む伝送システム全体の概念図である。図１において、例えば放送局などの伝送元１０から、サテライト局などの伝送先２０Ａ，２０Ｂに、オーディオ信号とビデオ信号とを含む映像音声信号が伝送されている場合を考える。かかる映像音声信号の伝送は、通信衛星Ｓを介して行う例を示すが、光ファイバーなど様々な形態により伝送されて良い。
図２は、抽出装置１００Ｘ，１００Ａ、１００Ｂの構成を示すブロック図である。映像音声信号のうち左右のオーディオ信号ＡＬ、ＡＲは、オーディオ入力部１０１，１０２に入力され、そこから出力された信号は、各々ディレイ部１０３，１０４に入力され、オーディオ演算部１０５で演算された結果が、音声の特徴量（Ａｕｄｉｏ  Ｌｅｖｅｌ、Ａｕｄｉｏ  Ａｃｔｉｖｉｔｙ）として出力され、抽出装置１００Ｘ，１００Ａ、１００Ｂから端末２００Ｘ、２００Ａ、２００Ｂに出力される。ここで、Ａｕｄｉｏ  Ｌｅｖｅｌとは、画像の１フレーム（例えば３０フレーム／秒）に含まれる音声サンプリング（４８ＫＨｚ）の値（４８０００／３０＝１６００個）の絶対値の平均値の値をさす。又、Ａｕｄｉｏ  Ａｃｔｉｖｉｔｙとは、画像の１フレーム（例えば３０フレーム／秒）に含まれる音声サンプリング（４８ＫＨｚ）の値（４８０００／３０＝１６００個）の２乗平均値の値をさす。
一方、映像音声信号のうちビデオ信号ＶＤは、ビデオ入力部１０８に入力され、そこから出力された信号は、フレームメモリ１０９、１１０、１１１に入力される。フレームメモリ１０９は現在のフレームを記憶し、フレームメモリ１１０は、一つ前のフレームを記憶し、フレームメモリ１１１は、２つ前のフレームを記憶する。
フレームメモリ１０９、１１０，１１１からの出力信号は、ＭＣ演算部１１２に入力され、その演算結果が映像の特徴量（Ｍｏｔｉｏｎ）として出力される。一方、フレームメモリ１１０からの出力信号は、ビデオ演算部１１９に入力される。ビデオ演算部１１９の演算結果は、映像の特徴量（Ｖｉｄｅｏ  Ｌｅｖｅｌ、Ｖｉｄｅｏ  Ａｃｔｉｖｉｔｙ）として出力される。これらの出力信号は、映像の特徴量として、抽出装置１００Ｘ，１００Ａ、１００Ｂから端末２００Ｘ、２００Ａ、２００Ｂに出力される。ここで、Ｍｏｔｉｏｎとは、画像フレームを例えば、８画素×８ラインサイズの小ブロックに分けて、この小ブロックごとに、６４画素の平均値と分散を求め、Ｎフレーム前の同じ場所のブロックの平均値と分散値との差で表され、画像の動きを示すものである。但し、Ｎは通常、１、２、４のいずれかである。又、Ｖｉｄｅｏ  Ｌｅｖｅｌとは、画像フレームに含まれる画素の値の平均値である。更に、Ｖｉｄｅｏ  Ａｃｔｉｖｉｔｙとしては、画像に含まれる小ブロックごとに分散を求めたとき、この分散のフレーム内の画素の平均値を用いても良いし、単純に画像フレームに含まれる画素のフレーム内での分散値を用いても良い。
次に、本監視システムの動作について説明する。伝送元１０から伝送される前の映像音声信号は、それから特徴量（メタデータ）を抽出する抽出装置１００Ｘに入力されると共に、ビデオサーバー２０１Ｘに所定時間だけ上書きされながら記憶される。
一方、伝送先２０Ａ、２０Ｂに伝送された前の映像音声信号は、それから特徴量を抽出する抽出装置１００Ａ、１００Ｂにそれぞれ入力されると共に、ビデオサーバー２０１Ａ、２０１Ｂに所定時間だけ上書きされながら記憶される（伝送元から伝送先へと伝送された映像音声信号を、所定時間だけ繰り返し記憶するステップ）。抽出された特徴量は、端末２００Ａ、２００ＢからインターネットＩＮＴを介して、伝送元１０の端末２００Ｘに伝達される。
伝送元１０の端末２００Ｘは、抽出装置１００Ｘが抽出した特徴量と、端末２００Ａ、２００Ｂから伝達された特徴量とをリアルタイムで比較し（伝送される前の映像音声信号から抽出される第１の特徴量と、伝送された後の映像音声信号から抽出される第２の特徴量とをリアルタイムで比較するステップ）、所定値以上の差がある場合には、エラーが生じたと判断し（前記第１の特徴量と前記第２の特徴量との間に所定値以上の差がある場合、エラーが生じたと判定するステップ）、インターネットＩＮＴを介して端末２００Ａ、２００Ｂに指令を送信する。端末２００Ａ、２００Ｂは、かかる指令に応じて、ビデオサーバー２０１Ａ、２０１Ｂより現時点から過去１０秒間の映像音声信号を切り取って、そのビデオクリップをインターネットＩＮＴを介して伝送元１０の端末２００Ｘに送信する（エラーが生じたと判定されたときは、記憶された映像音声信号を所定の宛先に送信するステップ）。
伝送元１０の作業者は、端末２００Ａ、２００Ｂから端末２００Ｘに送信された映像音声信号と、ビデオサーバー２０１Ｘに記憶されていた映像音声信号とを比較して、エラーが生じた原因を解析することができる。なお、端末２００ＸからインターネットＩＮＴを介して、端末２００Ａ，２００Ｂに、伝送前の映像音声信号にかかる特徴量を伝達し、伝送先で特徴量の比較を行っても良い。
次に、より具体的なエラーについて説明する。
（１）画像フリーズ現象の検出
図３Ａは、抽出装置１００Ｘで抽出された特徴量を示す図であり，図３Ｃは、抽出装置１００Ａ又は１００Ｂで抽出された特徴量を示す図であり、図３Ｂは、２つの特徴量の差分をとった値を示す図であり、縦軸は特徴量としてのｍｏｔｉｏｎ［値］を表し、横軸は時間を表す。
ここで、図３Ｃに示すように、伝送された後の映像音声信号に基づく映像においては、時間ｔ１〜ｔ２の間は、ｍｏｔｉｏｎ［値］が低いが、図３Ａに示すように、伝送される前の映像音声信号に基づく映像においても、時間ｔ１〜ｔ２の間は、ｍｏｔｉｏｎ［値］が低くなっており、その差分はゼロである（図３Ｂ参照）。これは、伝送した映像が静止画であるために生じたものであり、従って画像フリーズ現象は生じていないと判断できる。
一方、図３Ｃに示すように、伝送された後の映像音声信号に基づく映像においては、時間ｔ３〜ｔ４の間は、ｍｏｔｉｏｎ［値］が低いのに対し、図３Ａに示すように、伝送される前の映像音声信号に基づく映像においては、時間ｔ３〜ｔ４の間は、ｍｏｔｉｏｎ［値］が高くなっており、その差分は閾値ＴＨ１を超えている（図３Ｂ参照）。これは、伝送された映像において、何らかの原因により画像フリーズ現象が生じたことによるものであり、これを検出した伝送元１０の端末２００Ｘは、直ちにビデオクリップを送信するように、不具合が生じた伝送先の端末２００Ａ又は端末２００Ｂに指令を送信する。
（２）ブラックアウト現象の検出
図４Ａは、抽出装置１００Ｘで抽出された特徴量を示す図であり，図４Ｃは、抽出装置１００Ａ又は１００Ｂで抽出された特徴量を示す図であり、図４Ｂは、２つの特徴量の差分をとった値を示す図であり、縦軸は特徴量としてのＶｉｄｅｏ  Ａｃｔｉｖｉｔｙ［値］を表し、横軸は時間を表す。このＶｉｄｅｏ  Ａｃｔｉｖｉｔｙ［値］としては、例えば以下の分散Ａを用いることができる。
伝送前後におけるビデオ信号（バーチャルビデオ信号のような３次元座標値毎に値を持つ例とする、但しｚ＝０とすれば通常の２次元ビデオ信号になる）を考えたとき、時刻ｔにおける３次元座標（ｘ、ｙ、ｚ）における伝送前のビデオ信号をＶ（ｘ、ｙ、ｚ、ｔ）とし、時刻ｔにおける３次元座標（ｘ、ｙ、ｚ）における伝送後のビデオ信号をＵ（ｘ、ｙ、ｚ、ｔ）とする。
ここで、ビデオ信号を長い距離にわたって伝送すると、信号の欠損、ノイズなど様々な問題が生じる恐れがあるため、必ずしもＶ（ｘ、ｙ、ｚ、ｔ）＝Ｕ（ｘ、ｙ、ｚ、ｔ）とはならないが、視聴者が気づかない程度のエラーであれば補正する必要はないといえる。しかしながら、ブラックアウト現象のような不具合であれば、対策が必要である。
ビデオ信号Ｖ（ｘ、ｙ、ｚ、ｔ）の特徴量としての分散Ａは、以下の式で表すことができる。
2007080657.tif 000003
又、平均値ａｖｅ．Ｖは、以下の式で得ることができる。
2007080657.tif 000004
伝送前のビデオ信号Ｖ（ｘ、ｙ、ｚ、ｔ）と、伝送後のビデオ信号をＵ（ｘ、ｙ、ｚ、ｔ）とについて、それぞれ分散Ａを求めた上で、その差分を取ることで、以下のようにしてブラックアウトを判別できる。
図４Ｃに示すように、伝送された後の映像音声信号に基づく映像においては、時間ｔ１〜ｔ２の間は、分散値が低いが、図４Ａに示すように、伝送される前の映像音声信号に基づく映像においても、時間ｔ１〜ｔ２の間は、分散値が低くなっており、その差分はゼロである（図４Ｂ参照）。これは、伝送した映像が例えば星空等を映したものであるために生じたものであり、従って画像フリーズ現象は生じていないと判断できる。
一方、図４Ｃに示すように、伝送された後の映像音声信号に基づく映像においては、時間ｔ３〜ｔ４の間は、分散値が低いのに対し、図４Ａに示すように、伝送される前の映像音声信号に基づく映像においては、時間ｔ３〜ｔ４の間は、分散値が高くなっており、その差分は閾値ＴＨ２を超えている（図４Ｂ参照）。これは、伝送された映像において、何らかの原因により画面が真っ黒になるブラックアウト現象が生じたことによるものであり、これを検出した伝送元１０の端末２００Ｘは、直ちにビデオクリップを送信するように、不具合が生じた伝送先の端末２００Ａ又は端末２００Ｂに指令を送信する。
（３）音声ミュート現象の検出
図５Ａは、抽出装置１００Ｘで抽出された特徴量を示す図であり，図５Ｃは、抽出装置１００Ａ又は１００Ｂで抽出された特徴量を示す図であり、図５Ｂは、２つの特徴量の差分をとった値を示す図であり、縦軸は特徴量としてのＡｕｄｉｏ  Ｌｅｖｅｌ［値］を表し、横軸は時間を表す。なお、オーディオ信号におけるＡｕｄｉｏ  Ｌｅｖｅｌ［値］のサンプリングは、ビデオ信号におけるフレームの周波数で平均化されると好ましい。例えば、１秒間に３０フレームのビデオ信号の場合、Ａｕｄｉｏ  Ｌｅｖｅｌ［値］のサンプリングは３０Ｈｚで行うと好ましい。
ここで、図５Ｃに示すように、伝送された後の映像音声信号に基づく音声においては、時間ｔ１〜ｔ２の間は、Ａｕｄｉｏ  Ｌｅｖｅｌ［値］が非常に低いが、図５Ａに示すように、伝送される前の映像音声信号に基づく音声においても、時間ｔ１〜ｔ２の間は、Ａｕｄｉｏ  Ｌｅｖｅｌ［値］が低くなっており、その差分はゼロである（図５Ｂ参照）。これは、伝送される前の映像音声信号において、元々のＡｕｄｉｏ  Ｌｅｖｅｌ［値］が低かったものであり、従って音声ミュート現象は生じていないと判断できる。
一方、図５Ｃに示すように、伝送された後の映像音声信号に基づく音声においては、時間ｔ３〜ｔ４の間は、Ａｕｄｉｏ  Ｌｅｖｅｌ［値］が低いのに対し、図５Ａに示すように、伝送される前の映像音声信号に基づく音声においては、時間ｔ３〜ｔ４の間は、Ａｕｄｉｏ  Ｌｅｖｅｌ［値］が高くなっており、その差分は閾値ＴＨ３を超えている（図５Ｂ参照）。これは、伝送された音声において、何らかの原因により音声が途切れる音声ミュート現象が生じたことによるものであり、これを検出した伝送元１０の端末２００Ｘは、直ちにビデオクリップを送信するように、不具合が生じた伝送先の端末２００Ａ又は端末２００Ｂに指令を送信する。
（４）音声不良現象の検出
図６Ａは、抽出装置１００Ｘで抽出された特徴量を示す図であり，図６Ｃは、抽出装置１００Ａ又は１００Ｂで抽出された特徴量を示す図であり、図６Ｂは、２つの特徴量の差分をとった値を示す図であり、縦軸は特徴量としてのＡｕｄｉｏ  Ｌｅｖｅｌ［値］を表し、横軸は時間を表す。なお、オーディオ信号におけるＡｕｄｉｏ  Ｌｅｖｅｌ［値］のサンプリングは、ビデオ信号におけるフレームの周波数で平均化されると好ましい。
ここで、伝送された後の映像音声信号に基づくＡｕｄｉｏ  Ｌｅｖｅｌ［値］と、伝送される前の映像音声信号に基づくＡｕｄｉｏ  Ｌｅｖｅｌ［値］との差分を取ったとき、図６Ｂに示すように、時間ｔ１〜ｔ２の間、及び時間ｔ３〜ｔ４の間は、差分が閾値ＴＨ４を超えている。これは、伝送された音声において、何らかの原因によりノイズ等が重畳され、音声不良現象が生じたことによるものであり、これを検出した伝送元１０の端末２００Ｘは、直ちにビデオクリップを送信するように、不具合が生じた伝送先の端末２００Ａ又は端末２００Ｂに指令を送信する。
（５）映像音声不整合現象の検出
図７Ａは、ビデオフレームに対応して、抽出装置１００Ｘで抽出されたＡｕｄｉｏ  Ｌｅｖｅｌ［値］を示す図である。図７Ｃは、抽出装置１００Ａ又は１００Ｂで抽出されたＡｕｄｉｏ  Ｌｅｖｅｌ［値］を示す図である。図７Ｂは、時間に対して音声の進み／遅れを示す図である。なお、オーディオ信号におけるＡｕｄｉｏ  Ｌｅｖｅｌ［値］のサンプリングは、ビデオ信号におけるフレームの周波数で平均化されると好ましい。
ここでは、フレームに対するＡｕｄｉｏ  Ｌｅｖｅｌ［値］の立ち上がりを検出して比較する。図７Ｂに示すように、時間ｔ１、ｔ３においては、映像に対する音声の遅れ量が閾値ＴＨ５＋を超えており、時間ｔ２においては、映像に対する音声の進み量が閾値ＴＨ５−を下回っている。いずれかを検出することで、映像音声不整合現象が生じたと判断した伝送元１０の端末２００Ｘは、直ちにビデオクリップを送信するように、不具合が生じた伝送先の端末２００Ａ又は端末２００Ｂに指令を送信する。
（６）不正フレーム現象の検出
図８Ａは、抽出装置１００Ｘで抽出された特徴量を示す図であり，図８Ｃは、抽出装置１００Ａ又は１００Ｂで抽出された特徴量を示す図であり、図８Ｂは、２つの特徴量の差分をとった値を示す図であり、縦軸は特徴量としてのＶｉｄｅｏ  Ａｃｔｉｖｉｔｙ［値］（上述した分散を用いて良い）を表し、横軸は時間を表す。
伝送される前の映像音声信号に基づく映像と、伝送された後の映像音声信号に基づく映像とが完全に一致している場合、画像値の統計量の差分を取るとゼロになる。ところが、伝送された後の映像音声信号中に、１フレームだけ異なる映像の信号が挿入されたような場合、その差分が所定の閾値を超える。
図８Ｂに示すように、時間ｔ１〜ｔ２の間において、画素値の統計量の差分が閾値ＴＨ６＋を超えており、また時間ｔ３〜ｔ４の間においては、画素値の統計量の差分が閾値ＴＨ６−を下回っている。いずれかを検出することで、不正フレーム現象が生じたと判断した伝送元１０の端末２００Ｘは、直ちにビデオクリップを送信するように、不具合が生じた伝送先の端末２００Ａ又は端末２００Ｂに指令を送信する。
なお、伝送元１０においてエラーの解析が行われた後、例えば、映像音声不整合現象が生じた場合には、ビデオ信号とオーディオ信号とのズレをなくすような指令を、伝送元の端末２００Ｘから、伝送先の端末２００Ａ又は２００Ｂへと送信し、それに基づいて伝送先の端末２００Ａ又は２００Ｂが、映像音声信号において、ビデオ信号とオーディオ信号とのズレをなくす処理を行うことができる。かかる指令は、インターネットを用いることで、伝送先の端末に一括して送信することができる。
【図１】
2007080657.tif 000005
【図２】
2007080657.tif 000006
【図３Ａ】
2007080657.tif 000007
【図３Ｂ】
2007080657.tif 000008
【図３Ｃ】
2007080657.tif 000009
【図４Ａ】
2007080657.tif 000010
【図４Ｂ】
2007080657.tif 000011
【図４Ｃ】
2007080657.tif 000012
【図５Ａ】
2007080657.tif 000013
【図５Ｂ】
2007080657.tif 000014
【図５Ｃ】
2007080657.tif 000015
【図６Ａ】
2007080657.tif 000016
【図６Ｂ】
2007080657.tif 000017
【図６Ｃ】
2007080657.tif 000018
【図７Ａ】
2007080657.tif 000019
【図７Ｂ】
2007080657.tif 000020
【図７Ｃ】
2007080657.tif 000021
【図８Ａ】
2007080657.tif 000022
【図８Ｂ】
2007080657.tif 000023
【図８Ｃ】
2007080657.tif 000024
【国際調査報告】
2007080657.tif 000025
2007080657.tif 000026